(57)【要約】【課題】  中空容器の開口部を密閉したヒンジキャップにおいて、上蓋を係止する係止部材を蓋体本体に破断可能に連結すると共に、上蓋を不正に開放できないように形成して、容器の不正開封を防止するヒンジキャップを提供する。【解決手段】  中空容器８の口頸部８ａに螺合または嵌着する蓋体の本体部２の一端にヒンジ部４を介して密閉可能に上蓋３を一体に連結して、容器の開口部を密閉可能に形成してなる開閉自在なヒンジキャップ１を形成して、前記蓋体の本体部２の外周面には、円弧状に隙間を設けて帯状の係止部材５を破断、切除可能に複数の連結点５ｃにより連結して、前記上蓋３の外周面には、前記係止部材５に係止する係合爪６を設けて前記隙間に挿通可能に形成すると共に、鍔状に設けた開閉用の摘み片７を前記係止部材の凹部５ａ内に収容可能に形成して、上蓋を不正に押し上げて開封することができないようにな構造に形成した不正開封防止機能付きヒンジキャップ１を形成する。【選択図】図１
2005178867.tif 000002
【特許請求の範囲】
【請求項１】
中空容器の口頸部に螺合または嵌着する蓋体の本体部の一端にヒンジ部を介して密閉可能に上蓋を一体に連結して、容器の開口部を密閉可能に形成してなる開閉自在なヒンジキャップであって、前記蓋体の本体部の外周面には、隙間を設けて帯状の係止部材を破断、切除可能に連結して、前記上蓋の外周面には、前記係止部材に係止する係合爪を設けて前記隙間に挿通可能に形成すると共に、鍔状に設けた開閉用の摘み片を前記係止部材内に収容可能に形成して、開閉蓋体が不正に開封されるのを防止するように構成したことを特徴とする不正開封防止機能付きヒンジキャップ。
【請求項２】
前記帯状の係止部材は、ヒンジキャップの上蓋の摘み片を覆うようにして、蓋体本体の外周面に沿って上蓋の係合爪が挿通可能な隙間を設けて係合爪を係止可能に形成すると共に、本体部の外周面に容易に破断、切除可能になるように複数の連結点で固定されてなることを特徴とする請求項１に記載する不正開封防止機能付きヒンジキャップ。
【請求項３】
前記帯状の係止部材は、その中央部分に凹部を設けて前記鍔状の摘み片を収容可能に形成すると共に、前記凹部の下端部には底壁部を設けて摘み片を不正に押し上げ不能に形成して、上蓋の外周面を覆ってなることを特徴とする請求項２に記載する不正開封防止機能付きヒンジキャップ。
【請求項４】
前記係合爪は、前記上蓋の開口端に「レ」の字状に突設されるると共に、その先端部は前記係止部材の隙間に挿通可能に変形するように形成されてなることを特徴とする請求項１に記載する不正開封防止機能付きヒンジキャップ。
【発明の詳細な説明】
【技術分野】
【０００１】
本願の発明は、液状体あるいは粉粒体等を収納した中空容器の開口部を開閉自在に密閉するのに適したヒンジキャップに不正開封防止機能を備えた密閉蓋体に係わり、更に詳しくは、中空容器の開口部を密閉したヒンジキャップに上蓋を係止する係止部材を破断可能に形成しておいて、容器の蓋体が開封されたものか、否かを簡単に判別できるような構造にして、容器の不正な開封を防止するように形成した合成樹脂製のヒンジキャップに関するものである。
【背景技術】
【０００２】
飲料用液体やその他の食品等を収納した各種の中空容器に於いては、容器の内容物が不正に抜き取られたり、内容物を詰め替えられたりすることがないようにするために、あるいは、悪戯により内容物に有害物質が混入されたりするのを防止するための安全性の確保が要求される。
そこで、上記したような中空容器として、容器の口頸部にねじ蓋を螺着して密閉された容器に於いて、初めて蓋を開封する際には、ねじ蓋の一部に設けられた容易に破断可能な部分を切除した後で、ねじ蓋が開口できるように形成して、容器の不正開封を防止するようにしたねじ蓋が一般に広く使用されてきた。
【０００３】
ところが近年になって、合成樹脂製の各種の中空容器が多用されるようになるにつれて、前記中空容器の密閉蓋体にも合成樹脂からなるヒンジキャップが採用されるようになると、このような中空容器に於けるヒンジキャップについても、不正な開封を防止するための機能を備えたものが要望されるようになり、その方策としてヒンジキャップの上蓋とキャップ本体の側壁とを合成樹脂フィルム等の薄いシール材より一体的に覆って密封した保護シールを設けておいて、容器を開封するには前記保護シールを破断、除去しなければならないようにして不正開封を防止する容器が使用されるようになった。
【０００４】
そして、上記したようにヒンジキャップを保護シールにより密封した蓋体を用いて不正開封を防止する容器は、一瞥するだけで保護シールが破断されているか、いないかが見分けられるので、密閉蓋が開封されたか、否かを簡単に判別することができる。
しかし、上記した蓋体の開閉部分を保護シールにより一体的に被覆して密封する方式には、専用の設備の増設と製造工程数の増加および新たな人手等を必要とすることから生産コストに影響するという問題が生じて、新たな解決策が求められるようになった。
【０００５】
その結果、合成樹脂製のヒンジキャップ本体の側壁の一部に切り込み線やミシン目のような弱化線等からなる切除部を設けておいて、前記切除部を除去しない限りは上蓋を開封できないようにしたものや、ヒンジキャップを製造するに際して、同時にキャップ上蓋の掛止部に係合して不正開封を防止する破断部を形成して、該破断部に前記キャップの掛止部又は開閉突部を係合せしめて、破断することなしには離脱不可能にした不正開封を防止する構造にしたものを、合成樹脂の射出成形により一体に成形したものが提案されている（実開平４−６２６４５号や実開平４−６０８６６号等を参照）。
しかし、このような切除可能なシールバンドまたは覆合帯等の不正開封を防止する係止部材を設けたヒンジキャップに於いては、係止部材を抑えた状態で係止部材とヒンジキャップ本体との間の狭い隙間に、爪先やその他の類似片を差し込んで押し広げてから上蓋の鍔部の摘み片を上方へ突き上げることにより、前記不正開封を防止する係止部材を破断させずに上蓋を開くことができることもある。
【０００６】
そこで、上記のような不正開封防止機能を設けたヒンジキャップに於いて、上蓋の周壁部に鍔状に突出した摘み片をシールバンドで覆ったようにすると共に、該シールバンドの上端部をカバーで覆うように形成して、蓋体に爪先等を差し込んでシールバンドを破断させずに上蓋を不正に開封することができないようにしたものが、特開２００３−５４６１０号に提案されている。
しかし、このような形状をしたヒンジキャップは、構造がやや複雑になり、その製造コストが嵩むことになるので、低価格の製品に用いるには不向きであることから、上蓋に開閉用の摘み片（指掛け部）を鍔状に設けたヒンジキャップに於いて、不正開封防止部材の隙間へ指の爪先や類似の器具等を差し込んで上蓋を押し上げることによる不正な開封ができないようにすると共に、蓋体の開封痕は一見して確実に見分けることができるようにした不正開封防止機能を備えた安価な開閉自在な密閉蓋体の出現が望まれる。
【発明の開示】
【発明が解決しようとする課題】
【０００７】
本願発明は、上記したような問題点を解決するために創案されたもので、中空容器の口頸部に螺着または嵌着して開口部を密閉する密閉蓋体を、合成樹脂の射出成形により一体に成形して開閉自在に形成してなる不正開封防止機能付きヒンジキャップに於いて、前記ヒンジキャップの上蓋を係止した係止部材を破断させることなしには、前記上蓋を開封させることができないようにすると共に、前記係止部材を破断させて上蓋を開封したヒンジキャップは、一見するだけで開封された連結部の破断痕跡が容易に識別できるようにした不正開封防止機能を有するヒンジキャップを提供することを目的とする。
【課題を解決するための手段】
【０００８】
本願発明は、上記した目的を達成するために、中空容器の口頸部に螺合または嵌着する蓋体の本体部の一端にヒンジ部を介して密閉可能に上蓋を一体に連結して、容器の開口部を開閉自在に密閉可能にしてなるヒンジキャップを、合成樹脂の射出成形により一体成形すると同時に、前記蓋体の本体部には、外周面に上蓋の係合爪が挿通可能な隙間を設けて円弧状に形成した帯状の係止部材を切除可能に連結して、また、前記上蓋には、周端面に前記係止部材に係止する係合爪を設けて前記係止部材の隙間に挿通可能に形成すると共に、ヒンジ部とは反対の前周面に上蓋を開閉するための摘み片を鍔状に形成する。
そして、前記係止部材の凹部内に収容保持可能に形成した前記鍔状の摘み片を係止部材内に収容して、嵌合、密閉した上蓋の外周面を覆って保護することにより、前記係止部材を破断、切除なしには前記上蓋は開閉不可能な構造にして、ヒンジキャップの蓋部の不正な開封を防止するように構成する。
【発明の効果】
【０００９】
本願発明は、ヒンジキャップからなる密閉蓋体により密封された中空容器が不正に開封されるのを防止するのに、蓋体本体に嵌合、密着して密閉した上蓋の外周面を覆った帯状の係止部材を、蓋体本体に周面に上蓋の係合爪を挿通可能な隙間を設けて破断可能に連結して円弧状に形成して、前記係止部材に上蓋に設けた係合爪を挿通して係合せしめて係止すると共に、上蓋の摘み片を上方へ開放不能に保護するように構成したことにより、前記係止部材を破断、分離しない限りは、ヒンジキャップの上蓋を開封することは不可能である。
そして、上記ヒンジキャップの構造は、従来の不正開封防止機能を設けたものに較べて簡単であるから、製造コストを低く抑えることができて、また、不正開封防止の前記係止部材は、小さな接点で蓋体本体の外周面に連結されていて、上蓋を不正に開封しようとすると係止部材は簡単に破断するので、蓋体本体の外周面に破断痕が生じて、蓋体が開けられたか否かを容易に知見することができるが、開封されたヒンジキャップは破断痕が小さいので、容器の見栄えを損なうこともない。
【発明を実施するための最良の形態】
【００１０】
本願発明の不正開封防止機能を備えた開閉自在なヒンジキャップは、合成樹脂の射出成形により中空容器の口頸部に装着する蓋体本体にヒンジ部を介して上蓋が開閉可能に連結されて、上蓋が開放された状態の形状をした蓋体に一体に成形される。
そして、前記ヒンジ部とは反対側の蓋体本体の外周面には、上蓋を密閉状態に収容して係止すると同時に上蓋が不正開封されるのを防止する係止部材を、円弧状をした帯状体に形成すると共に、上蓋の係合爪が挿通可能な隙間を設けて破断、除去可能に連結した構造に形成する。
また、前記上蓋の前周面には鍔状に開閉用の摘み片を設けると共に、周端面には前記係止部材に係止する「レ」の字状の係合爪を突設して、該係合爪の先端は前記係止部材の隙間に挿通して、係止部材に係止可能に形成する。
【００１１】
上記のように形成された密閉蓋体は、上蓋を蓋体本体に被せるようにヒンジ部で折り曲げるようにして、前記係止部材の隙間に係合爪の先端を挿入して押圧すると、係合爪は隙間を通過して先端部が係止部材に係止すると同時に、鍔状の摘み片が係止部材の凹部に収容されて、上蓋が蓋体本体に嵌合、固定されてヒンジキャップに形成される。
そして、上記のように形成されたヒンジキャップは、内容物が収容された中空容器の口頸部に装着、固定されると、前記係止部材の破断、分離して除去しないでは、前記上蓋を開封できないように形成された不正開封防止機能を備えてなる開閉自在なヒンジキャップを装着した中空容器に形成される。
【実施例】
【００１２】
本願発明である不正開封防止機能を備えた開閉自在なヒンジキャップについて、以下に、最適な一つの実施例に基づいて図面を参照しつつ説明する。
本願の発明は、図１に示すように、中空容器８の口頸部８ａに螺着または嵌着可能に形成した蓋体本体２と、その上端周縁の一端部にヒンジ部４を設けて上蓋３を開閉自在に連結して、蓋体本体２に対して密閉可能に形成した上蓋３とから形成される開閉自在なヒンジキャップ１を、上蓋３を開いた状態の形状にして熱可塑性合成樹脂の射出成形により一体に成形するものである。
そして、上記のようにして射出成形する際に、同時に前記蓋体本体２の開口部の外周面には、上蓋３の係合爪６を挿通して係止する不正開封のための帯状をした係止部材５を、上蓋の係合爪６が挿通可能な隙間５ｄを設けて、上蓋３の摘み片７の部分を中心とした周壁面に沿うような円弧状に形成して、前記係止部材５に摘み片７を収容可能な凹部５ａを形成すると共に、複数の連結点５ｃで簡単に切除可能なように連結された蓋体本体２に形成して、また、前記上蓋３の開口端の外周面には、前記係止部材５に係止する係合爪６を前記係止部材５の隙間５ｄに挿通可能で、且つ、係止可能に形成すると共に、前記ヒンジ部４とは反対側に上蓋３を開閉するための摘み片７を鍔状に形成して、中空容器の口頸部に装着して開口部を開閉自在に密閉可能にしたヒンジキャップからなる密閉蓋体に成形する。
【００１３】
上記のように合成樹脂の射出成形により一体成形されたヒンジキャップ１は、上蓋３をヒンジ部４で折り曲げて蓋体本体２に嵌合させて密閉状態にしようとすると、上蓋の係合爪６の先端部に設けられた「レの字状」の係合片６ａが押圧変形して係止部材５の隙間に挿通されて、その先端部の係合片６ａが係止部材５に係合して係止されると共に、上蓋に設けられた鍔状の摘み片７は係止部材５の中央部を湾曲して設けられた凹部５ａに収容されて、図２示すように、上蓋３が蓋体本体２に嵌合、密着して、中空容器の口頸部に装着可能にしたヒンジキャップ１が構成される。
そして、このような構成にしたヒンジキャップ１は、各種の液状または粉粒状の内容物が収容された中空容器８の口頸部８ａに装着されると、図３に示したように、上蓋３は摘み片７が係止部材５の凹部５ａ内に収容されると共に、係合爪６の係合片６ａが係止部材５の下端縁に係合して開蓋不能に密閉されて、上蓋３には指先が引っ掛けられないように係止部材５で覆われなる蓋体の不正開封防止機能を備えた密閉容器に形成される。
【００１４】
上記のようにして中空容器８の口頸部８ａに装着されたヒンジキャップ１は、図４に示すように、蓋体本体２は外筒２ａが前記口頸部８ａに螺着または嵌着されると共に、外筒２ａと内筒２ｂとの間に口頸部８ａの先端部分を嵌合、密着して固定されており、また、前記蓋体本体の内筒２ｂの内周面に上蓋３の天板内面に突設した係止突起３ａが嵌合、密着して、中空容器８の開口部を完全密閉な状態に保っている。
そして、前記上蓋３はヒンジ部分を除いた外周壁面が蓋体本体の係止部材５により覆われた状態に保護されており、また、上蓋の係合爪６の係合片６ａが前記係止部材５の下端部に係合して係止されると共に、摘み片７は係止部材５の凹部５ａに収容されて、上蓋３は上方へ可動不能な状態に保持されている。
【００１５】
上記のようにして開口部がヒンジキャップ１により開閉自在に密閉された内容物を収容した中空容器８は、前記係止部材５を破断、切除なしに、不正に上蓋３を開封しようとしても、係止部材５で覆われた前記上蓋３には指先等を引っ掛けることができないし、また、係止部材５の凹部５ａ内に収容された上蓋３の摘み片７を押し上げる何らかの器具を係止部材５の隙間に差し込もうとしても、摘み片７を収容した係止部材５の凹部５ａの下端部には底壁片５ｂが設けられて、器具を差し込むことはできないような構造にして、蓋体の不正な開封を防止できるように構成されている。
【００１６】
従って、上記のような構造をした本願発明のヒンジキャップ１を装着した中空容器８を開封するには、図５に示したように、上蓋３の外周面を覆って可動不能に保持していた蓋体本体２の係止部材５を連結点５ｃで破断せしめて分離することにより、上蓋３の摘み片７が現れると同時に係止部材５に係止されていた係合爪６が開放されるので、摘み片７に指先を掛けて上蓋を押し上げることにより、図６に点線で示したように、前記ヒンジキャップの上蓋は簡単に開封することができる。
このようにして開封されたヒンジキャップ１には、蓋体本体２の側壁面に係止部材５が連結されていた連結点５ｃの破断痕５ｅが残されているので、一見しただけで上蓋３が既に開封されたものであるか、否かを簡単に識別することが可能である。
【００１７】
上記した実施例の中空容器８に装着されたヒンジキャップ１は、図４に示したように、上蓋３の天板内面に乾燥剤や活性炭９等を設けておいて、各種の薬剤や検査薬等を長期間保存するのに適した容器のものが示されているが、本願の発明は、このような対象物に用いるのに限定されるものではなくて、天板部に乾燥剤や活性炭等を設けることなしに、各種の液状物や粒状物等を収容して密閉保存する中空容器にも適していることは言うまでもない。
また、上記実施例に於けるヒンジキャップ１の蓋体本体２の開口部は、中空容器８の口頸部８ａに嵌合、密着した内筒２ｂに上蓋３の係合突起３ａが嵌合、密着して密閉する構造にしているが、本願の発明に於いては、先行例として示した特開２００３−５４６１０号公報に見るように、蓋体本体２の開口部に引っ張片を有する切除可能な中蓋を設けた周知の密封構造をしたヒンジキャップに形成することも可能とすることは言うまでもない。
【００１８】
本願発明のようなヒンジキャップは、ポリエチレンやポリプロピレン等の可撓性を有する熱可塑性合成樹脂の射出成形により一体成形としたものとすれば、中空容器の口頸部に装着作業を行う際には蓋体本体が弾性変形して衝撃を吸収し易いので、係止部材を破損させるようなことはほとんどない。
尚、本発明のヒンジキャップ１は、上記したように上蓋３を蓋体本体２に対して閉じた状態にしてから、容器の口頸部８ａに打栓等による装着作業を行うのではなくて、上蓋３を開いた状態にして蓋体本体２を容器の口頸部８ａに装着してから、上蓋３を蓋体本体２に嵌合、密閉させることも可能である。
【図面の簡単な説明】
【００１９】
【図１】本願発明のヒンジキャップを開いた状態を示す平面図である。
【図２】図１に示すヒンジキャップの上蓋を閉じた状態の上面図（ａ）と斜視図（ｂ）である。
【図３】本願発明の図２に示すヒンジキャップを装着した中空容器の斜視図である。
【図４】図３に示した中空容器に於けるＸ−Ｘ断面図である。
【図５】図２に示すヒンジキャップに於ける蓋体本体から係止部材を破断、分離せしめて、上蓋を開放可能にした状態を示す斜視図である。
【図６】図３に示した中空容器に於けるＹ−Ｙ断面図である。
【符号の説明】
【００２０】
１．    ヒンジキャップ
２．    蓋体本体
３．    上蓋
４．    ヒンジ部
５．    係止部材
５ａ．  凹部
５ｂ．  底壁片
５ｃ．  連結点
５ｄ．  隙間
５ｅ．  破断痕
６．    係合爪
７．    摘み片
８．    中空容器
８ａ．  口頸部
９．    乾燥剤
【図１】
2005178867.tif 000003
【図２】
2005178867.tif 000004
【図３】
2005178867.tif 000005
【図４】
2005178867.tif 000006
【図５】
2005178867.tif 000007
【図６】
2005178867.tif 000008